(57)【特許請求の範囲】
【請求項１】
氷塊を生成する製氷部(12)と、外部水源に接続する給水手段(24)から供給された水を貯留する給水タンク(18)と、この給水タンク(18)から前記製氷部(12)に水を供給する給水ポンプ(PM)とを備えた製氷機において、
前記給水タンク(18)に貯留された製氷水の貯水量が正常な場合に前記製氷部(12)に氷塊が生成される前に達する設定回転数に、前記給水ポンプ(PM)が達したことを検出する回転数検出手段(30)と、
前記給水ポンプ(PM)を駆動してから前記回転数検出手段(30)が該給水ポンプ(PM)の設定回転数を検出するまでの経過時間(T1)をカウントする計時手段(TM)と、
前記給水タンク(18)に貯留された製氷水の貯水量が正常な場合に前記給水ポンプ(PM)を駆動してから該給水ポンプ(PM)が前記設定回転数に達するまでの時間に合わせて予め設定された設定時間(T)と前記経過時間(T1)とを比較し、該設定時間(T)より経過時間(T1)が短い場合に該給水タンク(18)の貯水量異常と判定する判定手段(32)とを備えている
ことを特徴とする製氷機。
【請求項２】
前記設定時間(T)は、前記判定手段(32)に変更可能に設定される請求項１記載の製氷機。
【請求項３】
氷塊を生成する製氷部(12)と、外部水源に接続する給水手段(24)から供給された水を貯留する給水タンク(18)と、この給水タンク(18)から前記製氷部(12)に水を供給する給水ポンプ(PM)とを備えた製氷機において、
前記給水ポンプ(PM)の回転数を検出する回転数検出手段(30)と、
前記給水タンク(18)に貯留された製氷水の貯水量が正常な場合に前記給水ポンプ(PM)を駆動してから前記製氷部(12)に氷塊が生成される前に達する前記給水ポンプ(PM)の設定回転数になるまでの時間より短く設定された所定時間(TY)を、前記給水ポンプ(PM)を駆動してからカウントする計時手段(TM)と、
前記給水タンク(18)に貯留された製氷水の貯水量が正常な場合に前記給水ポンプ(PM)を駆動してから所定時間(TY)を経過したときに合わせて予め設定された予定回転数(K)と、前記計時手段(TM)が前記所定時間(TY)をカウントした際に前記回転数検出手段(30)が検出した検出回転数(K1)とを比較し、該予定回転数(K)より検出回転数(K1)が高い場合に該給水タンク(18)の貯水量異常と判定する判定手段(32)とを備えている
ことを特徴とする製氷機。
【発明の詳細な説明】
【技術分野】
【０００１】
この発明は、製氷部に水を供給する給水ポンプを備えた製氷機に関するものである。
【背景技術】
【０００２】
氷塊を生成する製氷部と、外部水源に接続する給水手段から供給された製氷水を貯留する給水タンクと、給水タンクから製氷部へ製氷水を圧送する給水ポンプを備えた製氷機が一般的に用いられている(例えば、特許文献１参照)。製氷機は、製氷運転において給水ポンプを回転駆動することで、給水タンクの製氷水を製氷部に供給して製氷を行なうようになっている。ここで製氷機では、給水手段による給水タンクへの製氷水の供給不足などに起因して、製氷運転において給水ポンプが空転することがある。給水ポンプの空転は、該給水ポンプの焼損等の故障や寿命低下の原因となるので、製氷機には給水ポンプの保護機構が設けられている。
【０００３】
特許文献１に開示の製氷機には、給水ポンプの保護機構として、給水ポンプの回転数を検出する回転数検出手段と、給水ポンプを強制停止する制御手段とを備えている。制御手段は、回転数検出手段で検出した給水ポンプの回転数が予め設定された制動回転数の範囲から外れたときに、給水ポンプを強制停止するようになっている。
【特許文献１】特開２００６−１７４１１号公報
【発明の開示】
【発明が解決しようとする課題】
【０００４】
特許文献１に開示の製氷機では、製氷部から給水タンクへ流下する製氷残水によって、給水タンクに貯留した製氷水が波立つことで、給水ポンプが気泡の混ざった製氷水を吸入することがあり、このように給水ポンプが所謂エア噛みした場合、給水ポンプの回転数が上昇して異常が誤検出されるおそれがある。また製氷機では、製氷運転において氷塊が生成されることで製氷水が消費されて給水タンクの水位が低下してくると、給水ポンプの回転数が不安定になる傾向があり、前記エア噛みと複合して、異常の誤検出が多くなる問題が指摘される。このような、貯水量異常の誤検出により製氷運転が強制停止されると、これを復帰させるための制御が複雑になると共に、使用者の負担が大きくなり、また異形氷の発生の原因ともなる。
【０００５】
すなわち本発明は、従来の技術に係る製氷機に内在する前記問題に鑑み、これらを好適に解決するべく提案されたものであって、貯水量異常の誤検出を抑制し得る製氷機を提供することを目的とする。
【課題を解決するための手段】
【０００６】
前記課題を克服し、所期の目的を達成するため、本願の請求項１に係る発明の製氷機は、
氷塊を生成する製氷部と、外部水源に接続する給水手段から供給された水を貯留する給水タンクと、この給水タンクから前記製氷部に水を供給する給水ポンプとを備えた製氷機において、
前記給水タンクに貯留された製氷水の貯水量が正常な場合に前記製氷部に氷塊が生成される前に達する設定回転数に、前記給水ポンプが達したことを検出する回転数検出手段と、
前記給水ポンプを駆動してから前記回転数検出手段が該給水ポンプの設定回転数を検出するまでの経過時間をカウントする計時手段と、
前記給水タンクに貯留された製氷水の貯水量が正常な場合に前記給水ポンプを駆動してから該給水ポンプが前記設定回転数に達するまでの時間に合わせて予め設定された設定時間と前記経過時間とを比較し、該設定時間より経過時間が短い場合に該給水タンクの貯水量異常と判定する判定手段とを備えていることを特徴とする。
請求項１に係る発明によれば、給水過程のうちの早い段階で異常を判定することで、給水タンクに貯留した水の波立ちや給水タンクの水位低下等の影響を受け難くなり、給水タンクの貯水量異常判定の精度を向上することができる。
【０００７】
請求項２に係る発明では、前記設定時間は、前記判定手段に変更可能に設定されることを要旨とする。
請求項２に係る発明によれば、設定時間を製氷機の設置環境等の条件に合わせて調節することで、異常判定の精度を向上し得る。
【０００８】
前記課題を克服し、所期の目的を達成するため、本願の請求項３に係る発明の製氷機は、
氷塊を生成する製氷部と、外部水源に接続する給水手段から供給された水を貯留する給水タンクと、この給水タンクから前記製氷部に水を供給する給水ポンプとを備えた製氷機において、
前記給水ポンプの回転数を検出する回転数検出手段と、
前記給水タンクに貯留された製氷水の貯水量が正常な場合に前記給水ポンプを駆動してから前記製氷部に氷塊が生成される前に達する前記給水ポンプの設定回転数になるまでの時間より短く設定された所定時間を、前記給水ポンプを駆動してからカウントする計時手段と、
前記給水タンクに貯留された製氷水の貯水量が正常な場合に前記給水ポンプを駆動してから所定時間を経過したときに合わせて予め設定された予定回転数と、前記計時手段が前記所定時間をカウントした際に前記回転数検出手段が検出した検出回転数とを比較し、該予定回転数より検出回転数が高い場合に該給水タンクの貯水量異常と判定する判定手段とを備えていることを特徴とする。
請求項３に係る発明によれば、給水過程のうちの早い段階で異常を判定することで、給水タンクに貯留した水の波立ちや給水タンクの水位低下等の影響を受け難くなり、給水タンクの貯水量異常判定の精度を向上することができる。
【発明の効果】
【０００９】
本発明に係る製氷機によれば、給水過程のうちの早い段階で異常を判定することで、給水タンクの貯水量異常の誤検出を抑制し得る。
【発明を実施するための最良の形態】
【００１０】
次に、本発明に係る製氷機につき、好適な実施例を挙げて、添付図面を参照して以下に説明する。
【実施例１】
【００１１】
図１に示すように、実施例１の製氷機は、製氷室(製氷部)１２に設けた下向きに開口する多数の製氷小室１２ａに製氷水を下方から噴射供給して、氷塊を連続的に製造する所謂クローズドセルタイプの製氷機構１０を備えている。また製氷機は、製氷室１２を冷却または加熱する冷凍機構２０を備えている。製氷機は、運転切替手段ＴＨや回転数検出手段３０等のセンサ、計時手段ＴＭ、製氷機構１０および冷凍機構２０を構成する圧縮機ＣＭ等の各機器が電気的に接続された制御手段Ｃを備えている(図２参照)。そして製氷機は、制御手段Ｃがセンサ類からの入力に基づいて、製氷機構１０および冷凍機構２０を構成する機器を夫々駆動制御して、製氷運転および除氷運転を交互に繰返すよう構成される。
【００１２】
前記製氷機構１０は、本体内部に水平に配置され、下方に開口する多数の製氷小室１２ａを備えた製氷室１２と、製氷小室１２ａを開閉自在に閉成し、製氷水を貯留する製氷水タンク(給水タンク)１８を下方に一体的に備えた水皿１６とを備えている。また製氷機構１０は、水皿１６を製氷室１２に対し接離するように傾動させる水皿開閉機構２２と、製氷水タンク１８に貯留した製氷水(水)を圧送する製氷水ポンプ(給水ポンプ)ＰＭと、製氷水タンク１８に製氷水を供給する給水手段２４とを備えている。
【００１３】
前記製氷室１２の上面には、冷凍機構２０の一部を構成する蒸発器１４が密着的に蛇行配置され、この蒸発器１４により製氷運転時に各製氷小室１２ａを強制冷却すると共に、除氷運転時に各製氷小室１２ａを加熱するようになっている。水皿１６は、支軸１７により製氷室１２に対して傾動可能に枢支され、水皿１６および製氷水タンク１８は、製氷運転に際して水平に位置して製氷室１２と平行に保持されて製氷小室１２ａの開口を閉成するよう構成される。製氷水ポンプＰＭは、製氷水タンク１８に連通して設けられ、該ポンプＰＭを製氷運転において連続的に駆動することで、製氷水タンク１８から圧送された製氷水が水皿１６の上部に設けた噴射孔から冷却された製氷小室１２ａに対し噴射供給される。また水皿１６には、上面から製氷水タンク１８に連通する戻り孔(図示せず)が設けられ、製氷小室１２ａで氷結しなかった製氷水が戻り孔を介して製氷水タンク１８に回収され、再び製氷小室１２ａに供給される循環サイクルが構成される。製氷室１２には、当該製氷室１２の温度を検知する運転切替手段ＴＨが配設され、この運転切替手段ＴＨの温度検知結果に基づいて製氷運転における製氷または除氷運転における除氷の完了が判定される。
【００１４】
前記製氷水ポンプＰＭは、直流モータと、この直流モータにより回転駆動される羽根状の回転子とを備え(何れも図示せず)、回転子により製氷水タンク１８から製氷水を吸い込み、吸い込んだ製氷水を水皿１６へ送り出すようになっている。また製氷水ポンプＰＭは、制御手段Ｃの制御下に、直流モータが駆動または停止されると共に、直流モータの出力電圧の変動が制御手段Ｃに入力され、その結果に基づいて制御手段Ｃによって直流モータの電圧を制御するフィードバック制御が行なわれる。ここで製氷機では、制御手段Ｃにより直流モータの電圧を制御することで、直流モータの回転数が調節される。実施例１の製氷機は、図３に示すように、直流モータの電圧をゼロから徐々に上げて回転数を徐々に上昇させると共に、制御手段Ｃに予め設定された設定回転数に達したときに、設定回転数で直流モータを回転するよう電圧制御される。
【００１５】
製氷水ポンプＰＭは、直流モータをゼロから徐々に電圧を上昇するよう制御すると、ゼロからの立ち上がり時は回転数が設定回転数から大きく離れているので、電圧の変位率が大きく、直流モータの回転数の変化率も大きくなる(図３の実線参照)。そして、製氷水ポンプＰＭは、直流モータの回転数が設定回転数に近づくにつれて電圧の変位率が小さくなり、これに伴い回転数の変化率も小さくなって設定回転数に収束するようになっている。製氷水ポンプＰＭは、制御手段Ｃによる所定の電圧制御下に回転数を制御すると、製氷水タンク１８に貯留された製氷水の貯水量が正常な場合に、直流モータの駆動開始時から設定回転数に達するまでの時間が略一定となる。そして製氷機では、正常な条件のもとで製氷水ポンプＰＭの直流モータが設定回転数に達するまでの時間が、設定時間Ｔとして後述の保護機構の判定手段３２に予め設定されている。なお、製氷水ポンプＰＭでは、厳密には直流モータが回転し、また保護機構の回転数検出手段３０において直流モータの回転数を検出するものであるが、本明細書では単に製氷水ポンプＰＭの回転数という。
【００１６】
前記水皿１６は、開閉モータＡＭの駆動に基づく水皿開閉機構２２の付勢により傾動され、除氷運転開始時に水皿開閉機構２２により支軸１７を中心として下方へ傾動(離間作動)して製氷小室１２ａが開放される。製氷水タンク１８には、水皿１６の傾斜姿勢において傾斜下端となる端部に排水孔が設けられ、傾斜姿勢において製氷水タンク１８に貯留した製氷水を排出し得るよう構成される。また水皿１６は、除氷運転において、製氷小室１２ａから離氷したことを条件として、水皿開閉機構２２により支軸１７を中心として上方へ傾動(近接作動)して製氷小室１２ａを閉成するよう構成される。更に、製氷水タンク１８には、給水手段２４により水皿１６に供給された製氷水が、水皿１６の戻り孔を介して回収されることで、所定量の製氷水が貯留される。
【００１７】
前記給水手段２４は、水道等の外部水源に接続した給水管２６と、この給水管２６に介挿された給水弁ＷＶとから構成され、給水弁ＷＶは制御手段Ｃの制御下に所定のタイミングで開閉動作するようになっている。給水管２６は、水皿１６における軸支端部側の上面(製氷室１２との対向面)に臨んで配置され、給水管２６から散水した水が水皿１６の上面を流下すると共に、その一部が水皿１６の戻り孔を介して製氷水タンク１８に回収される。製氷機は、除氷運転において、給水手段２４により融氷水を供給して水皿１６の上面に付着した氷の除去を図り、製氷運転の初期において給水手段２４により製氷水タンク１８に次回の製氷運転で使用する製氷水が供給される。
【００１８】
前記冷凍機構２０では、図示しない機械室に配設された圧縮機ＣＭ、凝縮器ＣＤ、この凝縮器ＣＤを冷却する冷却ファンＦＭ、膨張弁ＥＶおよび製氷室１２の上面に配設された蒸発器１４を冷媒配管２０ａで接続して冷凍回路が構成される(図１参照)。また冷凍機構２０は、除氷運転時に蒸発器１４へホットガスを直接供給するバイパス管２１を備えている。バイパス管２１には、制御手段Ｃの制御下に動作して管路を開閉するホットガス弁ＨＶが介挿されている。冷凍機構２０では、ホットガス弁ＨＶの開放によりバイパス管２１をホットガスが流通して、凝縮器ＣＤおよび膨張弁ＥＶを介さずにホットガスが蒸発器１４に供給され、ホットガスにより製氷室１２が加熱される。これに対し、冷凍機構２０では、ホットガス弁ＨＶの閉成により冷凍回路を冷媒が循環され、製氷室１２が強制冷却される。
【００１９】
次に、製氷水ポンプＰＭの保護機構について説明する。保護機構は、製氷水ポンプＰＭの回転数を検出する回転数検出手段３０と、製氷水ポンプＰＭの駆動開始から回転数検出手段３０が製氷水ポンプＰＭの設定回転数を検出するまでの経過時間Ｔ１をカウントする計時手段ＴＭと、予め設定された設定時間Ｔと前記経過時間Ｔ１とを比較する判定手段３２とを備えている。回転数検出手段３０は、製氷水ポンプＰＭの回転数が設定回転数に達したことを検出すると、計時手段ＴＭに検出信号を出力するようになっている。計時手段ＴＭは、給水手段２４による給水が完了して、制御手段Ｃから製氷水ポンプＰＭによる製氷水の供給開始信号が入力されると同時にカウントを開始し、回転数検出手段３０から設定回転数の検出信号が入力された時点でカウントを終了するように構成される。そして計時手段ＴＭは、カウント開始からカウント終了までの経過時間Ｔ１を判定手段３２に出力するようになっている。
【００２０】
前記判定手段３２には、予め設定時間Ｔが設定されており、この設定時間Ｔは、製氷機の図示しない操作手段によって変更可能になっている。また判定手段３２は、計時手段ＴＭから入力された経過時間Ｔ１と設定時間Ｔとを比較して、経過時間Ｔ１が設定時間Ｔより長い場合は正常を判定し、経過時間Ｔ１が設定時間Ｔ以下の場合は異常を判定するよう構成される。すなわち、設定時間Ｔを製氷機の設置環境等の条件に合わせて調節することで、貯水量異常判定の精度を向上し得ると共に、設定時間Ｔをゼロに設定することで、保護機構を機能させない(異常判定させない)ようにすることもできる。
【００２１】
前記製氷機の貯水量異常判定の流れについて、図４に示すフローチャート図を参照して説明する。製氷機は、製氷運転を開始すると、給水弁ＷＶを開放して給水手段２４から製氷水タンク１８に製氷水を所定の給水時間に亘ってあるいは水位検出手段が満水を検出するまで供給し(ステップＳ１)、給水弁ＷＶを閉成して給水を停止する(ステップＳ２)。次に、製氷水ポンプＰＭが駆動(ＯＮ)されると共に、計時手段ＴＭのカウントが開始される(ステップＳ３)。そして、製氷水ポンプＰＭの回転数が設定回転数に達したことが回転数検出手段３０で検出されると(ステップＳ４：ＹＥＳ)、計時手段ＴＭのカウントが終了し(ステップＳ５)、判定手段３２に経過時間Ｔ１が入力される。判定手段３２では、設定時間Ｔと経過時間Ｔ１とを比較し(ステップＳ６)、経過時間Ｔ１が設定時間Ｔより長い場合は正常を判定し(ステップＳ７)、これにより製氷水の供給が継続される。これに対し、判定手段３２で設定時間Ｔと経過時間Ｔ１とを比較した結果(ステップＳ６)、経過時間Ｔ１が設定時間Ｔ以下の場合は異常が判定される(ステップＳ８)。
【００２２】
前記製氷機は、貯水量異常を検出した場合に(ステップＳ８)、水皿１６を下方へ傾動して製氷水タンク１８に貯留された製氷水を排出する。この状態で除氷運転を行なって、製氷室１２の冷却状態をリセットした後、水皿１６を上方へ傾動して製氷室１２を閉じて、製氷運転を再度行なう。製氷機は、前記ステップＳ１からステップ６の工程を繰り返し、正常と判定された場合に(ステップＳ７)、製氷運転を継続する。一方、製氷機は、貯水量異常を判定した直後の製氷運転において、前記ステップＳ６で異常が再度判定された場合(ステップＳ８)、貯水量異常が確実に発生しているものと判断し、製氷水ポンプＰＭを停止して製氷水の供給を停止すると共に、警報を出力して異常を報知する。このように、製氷機は、一度目の貯水量異常の判定で停止するのではなく、貯水量異常を判定した直後の製氷運転において貯水量異常が再度判定されたときに停止する構成とすることで、接点不良や配管の詰まり等の一時的な異常で無用に停止することを回避できる。
【００２３】
前記給水手段２４の給水不足等の要因で製氷水タンク１８の貯水量が不足した状態で製氷水の供給を開始すると、製氷水ポンプＰＭに対する水の負荷が小さく、電圧の変位が小さくても回転数の上昇が著しいので、設定回転数に到達するまでの経過時間Ｔ１が設定時間Ｔより短くなる(図３の二点鎖線参照)。すなわち、経過時間Ｔ１と設定時間Ｔとを比較することで、製氷水タンク１８に所定貯水量の製氷水が貯留されているか否かを判定することができる。
【００２４】
製氷水が製氷水ポンプＰＭの設定回転数で水皿１６に供給される時期になると、製氷室１２から製氷水タンク１８へ流下する製氷残水によって製氷水タンク１８に貯留した製氷水が波立つことや、氷塊が生成されることで製氷水が消費されて製氷水タンク１８の水位が低下するなど、貯水量異常の誤検出を引き起こす要因が多くなる。そこで、実施例１の製氷機では、製氷水ポンプＰＭが製氷水の供給を開始してから設定回転数に到達するまでの早い段階で製氷水タンク１８に貯留した製氷水の貯水量の異常を判定している。このように製氷機は、製氷運転中の製氷水供給過程のうちの早い段階で貯水量異常を判定することで、製氷水の波立ちや製氷水タンク１８における製氷水の水位低下等の影響を受け難くなり、貯水量異常判定の精度を向上することができる。従って、製氷に支障をきたす製氷水タンク１８の貯水量異常だけを精度よく判定するので、製氷機の停止頻度を減らして製氷効率を向上し得ると共に、異常箇所の切り分けが容易であって修理し易い。
【００２５】
前記製氷機は、貯水量異常を判定した場合に、製氷水供給過程の早い段階で製氷水ポンプＰＭを停止するので、製氷水ポンプＰＭが空転する前に停止され、あるいは空転してもその時間を短くすることができ、製氷水ポンプＰＭへの負荷を軽減して故障をより抑制することができる。また製氷機は、貯水量異常を判定した場合に製氷水供給過程の早い段階で製氷水ポンプＰＭを停止することで、製氷室１２に氷塊が生成する前に製氷室１２への製氷水の供給が停止され、異形氷の発生が防止される。
【実施例２】
【００２６】
次に、実施例２に係る製氷機に設けられた製氷水ポンプＰＭの保護機構について説明する。なお、実施例２の製氷機は、実施例１の製氷機と基本的な構成は同一であり、実施例２の製氷機において実施例１の製氷機と同様の構成は同じ符号を付して説明を省略する。実施例２の保護機構は、製氷水ポンプＰＭの回転数を検出する回転数検出手段３０と、製氷水ポンプＰＭの駆動開始から所定時間ＴＹまでカウントする計時手段ＴＭと、予め設定された予定回転数Ｋと計時手段ＴＭが前記所定時間ＴＹをカウントした際に回転数検出手段３０が検出した検出回転数Ｋ１とを比較する判定手段３２とを備えている。計時手段ＴＭは、給水手段２４による給水が完了して、制御手段Ｃから製氷水ポンプＰＭによる製氷水の供給開始信号が入力されると同時にカウントを開始し、所定時間ＴＹをカウントすると、回転数検出手段３０に検出信号を出力するようになっている。回転数検出手段３０は、計時手段ＴＭから所定時間ＴＹのカウント終了信号が入力された時点で製氷水ポンプＰＭの回転数を検出し、検出した回転数(検出回転数)Ｋ１を判定手段３２に出力するよう構成される。計時手段ＴＭに予め設定される所定時間ＴＹは、正常な条件のもとで製氷水ポンプＰＭが駆動を開始してから前述した設定回転数に達するまでの時間より短く設定される。なお所定時間ＴＹは、製氷機の図示しない操作手段によって変更可能になっている。すなわち、所定時間ＴＹを製氷機の設置環境等の条件に合わせて調節することで、貯水量異常判定の精度を向上し得る。また製氷機は、正常な条件のもとで製氷水ポンプＰＭが駆動を開始してから前記設定回転数に達するまでの時間に対し、所定時間ＴＹを同一または長く設定することで、保護機構を機能させない(異常判定させない)ようにすることもできる。
【００２７】
前記判定手段３２には、予め予定回転数Ｋが設定されており、この予定回転数Ｋは、製氷機の図示しない操作手段によって変更可能になっている。予定回転数Ｋは、正常な条件のもとで製氷水ポンプＰＭが駆動を開始してから前記所定時間ＴＹを経過したときに、製氷水ポンプＰＭが達する回転数である。また判定手段３２は、回転数検出手段３０から入力された検出回転数Ｋ１と予定回転数Ｋとを比較して、検出回転数Ｋ１が予定回転数Ｋ以下の場合は正常を判定し、検出回転数Ｋ１が予定回転数Ｋより高い場合は異常を判定するよう構成される。
【００２８】
前記製氷機の貯水量異常判定の流れについて、図６に示すフローチャート図を参照して説明する。製氷機は、製氷運転を開始すると、給水弁ＷＶを開放して給水手段２４から製氷水タンク１８に製氷水を所定の給水時間に亘ってあるいは水位検出手段が満水を検出するまで供給し(ステップＳ１１)、給水弁ＷＶを閉成して給水を停止する(ステップＳ１２)。次に、製氷水ポンプＰＭが駆動(ＯＮ)されると共に、計時手段ＴＭのカウントが開始される(ステップＳ１３)。そして、計時手段ＴＭが所定時間ＴＹをカウントすると(ステップＳ１４：ＹＥＳ)、計時手段ＴＭから入力された信号により回転数検出手段３０は製氷水ポンプＰＭの回転数を検出し(ステップＳ１５)、判定手段３２に検出回転数Ｋ１が回転数検出手段３０から入力される。判定手段３２では、予定回転数Ｋと検出回転数Ｋ１とを比較し(ステップＳ１６)、検出回転数Ｋ１が予定回転数Ｋ以下の場合は正常を判定し(ステップＳ１７)、これにより製氷水の供給が継続される。これに対し、判定手段３２で予定回転数Ｋと検出回転数Ｋ１とを比較した結果(ステップＳ１６)、検出回転数Ｋ１が予定回転数Ｋより高い場合は異常が判定される(ステップＳ１８)。
【００２９】
前述の如く、前記給水手段２４の給水不足等の要因で製氷水タンク１８の貯水量が不足した状態で製氷水の供給を開始すると、製氷水ポンプＰＭに対する水の負荷が小さく、電圧の変位が小さくても回転数の上昇が著しい。このため、製氷水ポンプＰＭの駆動開始から所定時間ＴＹが経過した時点で製氷水ポンプＰＭの予定回転数Ｋと検出回転数Ｋ１とを比較すると、異常が発生している場合は正常な場合より回転数が高くなる(図５の二点鎖線参照)。すなわち、予定回転数Ｋと検出回転数Ｋ１とを比較することで、製氷水タンク１８に所定貯水量の製氷水が貯留されているか否かを判定することができる。このように、実施例２の製氷機は、実施例１の製氷機と同様に貯水量異常を適切に判定することができ、実施例１の製氷機と同様の作用効果を奏する。
【００３０】
(変更例)
本発明は、実施例の構成に限定されず、以下の如く変更することも可能である。
(１)実施例では、製氷水を供給する製氷水ポンプに保護機構を設ける例を示したが、除氷水タンクに貯留した除氷水を製氷部に供給する除氷水ポンプ等、その他製氷部に給水タンクから水を供給するポンプに本願発明に係る保護機構を適用することができる。
(２)実施例では、クローズドセルタイプの製氷機構を備えた製氷機を例に挙げたが、オープンセルタイプや流下式の製氷機構を備えた製氷機であっても、本願発明を適用し得る。
【図面の簡単な説明】
【００３１】
【図１】本発明の好適な実施例１に係る製氷機を示す概略図である。
【図２】実施例１の製氷機の制御ブロック図である。
【図３】実施例１の製氷機において、製氷水ポンプの回転数と時間との関係を示すグラフ図である。
【図４】実施例１の製氷機において、製氷運転における製氷水の供給の流れを示すフローチャート図である。
【図５】実施例２の製氷機において、製氷水ポンプの回転数と時間との関係を示すグラフ図である。
【図６】実施例２の製氷機において、製氷運転における製氷水の供給の流れを示すフローチャート図である。
【符号の説明】
【００３２】
１２ 製氷室(製氷部)，１８ 製氷水タンク(給水タンク)，２４ 給水手段，
３０ 回転数検出手段，３２ 判定手段，ＰＭ 製氷水ポンプ(給水ポンプ)，
ＴＭ 計時手段，Ｔ１ 経過時間，Ｔ 設定時間，ＴＫ 所定時間，Ｋ 予定回転数，
Ｋ１ 検出回転数
【図１】
0005308049.tif 000002
【図２】
0005308049.tif 000003
【図３】
0005308049.tif 000004
【図４】
0005308049.tif 000005
【図５】
0005308049.tif 000006
【図６】
0005308049.tif 000007